Podtech/llm-jp-corpus-v4-ja_patent huggingface dataset:
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
撮像パラメータ設定支援機能を有する磁気共鳴イメージング装置において、上記撮像パラメータ設定支援機能は、ユーザーが選択した撮像パルスシーケンスに従って被検体の断層像を撮像する際に設定すべき撮像パラメータを上記磁気共鳴イメージング装置のディスプレイ上に表示し、その中からパラメータ値の自動設定を許す撮像パラメータの選択をユーザーに促す機能、および選択された自動設定撮像パラメータを除くその他のそれぞれの撮像パラメータについてのユーザーによるパラメータ値設定後、撮像の可能性を判断し、不可能と判断した場合には、撮像パラメータの中から所定の方式に従って少なくとも１つのサジェスチョンパラメータを算出し、算出されたサジェスチョンパラメータ中に先に選択した自動設定パラメータが含まれていた場合には所定の方式によりその中の１つを選択しその選択した自動設定パラメータのパラメータ値を自動変更し、算出されたサジェスチョンパラメータ中に先に選択した自動設定パラメータが含まれていなかった場合にはサジェスチョンパラメータ名、そのサジェスチョンパラメータ値およびそのパラメータ値を採用した際のＳ/Ｎ、Ｃ/Ｎ、撮像時間および空間分解能を含む画質パラメータ値をディスプレイ上に表示し、ユーザーに表示されたサジェスチョンパラメータの１つを選択するよう促す機能を有することを特徴とする撮像パラメータ設定支援機能を有する磁気共鳴イメージング装置。
【請求項２】
算出されたサジェスチョンパラメータ中に先に選択した自動設定パラメータが複数個含まれていた場合には、その設定値がサジェスチョンパラメータ値に変更された時のＳ/Ｎ、Ｃ/Ｎ、撮像時間および空間分解能を含む画質パラメータの変化率がいずれもプラスの場合にはその変化率の合計値が最大を示す自動設定パラメータが、画質パラメータの変化率がマイナスを含む自動設定パラメータについては、マイナスの変化率のみの合計値が最小の自動設定パラメータが、またマイナスの変化率のみの合計値が最小の自動設定パラメータが複数ある場合にはマイナスの変化率を示す画質パラメータ値の数が最も多い自動設定パラメータが選択されることを特徴とする請求項１に記載の撮像パラメータ設定支援機能を有する磁気共鳴イメージング装置。
【請求項３】
撮像パラメータの中からサジェスチョンパラメータの算出が出来なかった場合およびディスプレイ上に表示したサジェスチョンパラメータをユーザーが採用しなかった場合には先にユーザーが設定したパラメータ値の見直変更を促す機能をさらに有することを特徴とする請求項１に記載の撮像パラメータ設定支援機能を有する磁気共鳴イメージング装置。
【請求項４】
撮像パラメータ設定支援機能を有する磁気共鳴イメージング装置において、上記撮像パラメータ設定支援機能は、
被検体の断層像を撮像する際に設定すべき撮像パラメータを表示する機能、
上記表示された撮像パラメータの中からパラメータ値の自動設定を許す撮像パラメータの選択をユーザーに促す機能、
上記選択された自動設定撮像パラメータを除くその他のそれぞれの撮像パラメータについてのユーザーによるパラメータ値設定を促す機能、
上記設定されたパラメータ値に基づいて撮像の可能性を判断し、不可能と判断した場合には、撮像パラメータの中から少なくとも１つのサジェスチョンパラメータを算出する機能、
上記算出されたサジェスチョンパラメータ中に含まれる先に選択した自動設定パラメータの少なくとも一つについてパラメータ値を変更する機能
を有することを特徴とする撮像パラメータ設定支援機能を有する磁気共鳴イメージング装置。
【請求項５】
上記算出されたサジェスチョンパラメータ中に先に選択した自動設定パラメータが含まれていなかった場合にはサジェスチョンパラメータ名、そのサジェスチョンパラメータ値およびそのパラメータ値を採用した際のＳ/Ｎ、Ｃ/Ｎ、撮像時間および空間分解能を含む画質パラメータ値をディスプレイ上に表示し、ユーザーに表示されたサジェスチョンパラメータの１つを選択するよう促す機能を、さらに有することを特徴とする請求項４記載の撮像パラメータ設定支援機能を有する磁気共鳴イメージング装置。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
吸引風を生成するための送風機と、
前記吸引風に含まれる塵埃を捕集するためのフィルタと、
前記フィルタの前記吸引風に関する上流側の表面に付着した塵埃を、前記フィルタに振動を与えることによって離脱させるためのフィルタ除塵機構とを備え、
前記フィルタは少なくとも下流側から見て複数の山形状を平行に配置したプリーツ形状を有し、
前記フィルタ除塵機構は、前記吸引風の進行方向に平行な回転軸を中心に回動自在な状態で前記フィルタの下流側において前記フィルタに近接して配置される回転体を備え、
前記回転体の前記フィルタに対向する面には、前記回転体の回動動作によって前記フィルタの前記複数の山形状の頂点を掻くための振動生成突起が設けられている、電気掃除機。
【請求項２】
前記送風機を収納する本体部と、
内部に塵埃を貯めるための塵埃収容部とを備え、
前記塵埃収容部は前記本体部に対して着脱可能となっており、
前記フィルタは前記塵埃収容部を前記本体部から取り外す際には前記塵埃収容部と一体的に前記本体部から取り外される構造となっており、
前記回転体は最外周に第１歯群を有し、
前記フィルタ除塵機構は、前記第１歯群と噛み合うように前記本体部に配置された第２歯群を備え、
前記第１および第２歯群は、前記塵埃収容部を前記本体部に対して取り付ける動作および前記本体部から取り外す動作のうち少なくとも一方の動作の際に前記第１歯群と前記第２歯群とが噛み合うことによって前記回転体を回動させることが可能なように配置されている、請求項１に記載の電気掃除機。
【請求項３】
一定方向に気体を通過させることによって集塵するためのフィルタと、
前記フィルタに対向する面を有する回転体と、
前記回転体を、前記フィルタの通過方向に平行な回転軸を中心に回動自在な状態で前記フィルタの下流側において前記フィルタに近接するように支持するための支持部材とを備え、
前記回転体の前記フィルタに対向する面には、前記回転体の回動動作によって前記フィルタの表面を掻くための振動生成突起が設けられている、除塵機構付きフィルタ。
【請求項４】
一定方向に気体を通過させることによって集塵するためのフィルタの下流側に設置されるためのフィルタ除塵機構であって、
前記フィルタに対向するための面を有する回転体と、
前記回転体を、前記フィルタの通過方向に平行な回転軸を中心に回動自在な状態で前記フィルタの下流側において前記フィルタに近接するように支持するための支持部材とを備え、
前記回転体の前記フィルタに対向するための面には、前記回転体の回動動作によって前記フィルタの表面を掻くための振動生成突起が設けられている、フィルタ除塵機構。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数の図柄を施した図柄帯が付された可動表示体と、前記可動表示体を複数備えた図柄変動表示装置とを有し、遊技媒体の投入およびゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機であって、
前記可動表示体が停止状態において前記図柄帯に施された前記複数の図柄のうちの一部を所定個数分の図柄群として視認可能とする図柄表示部と、
前記内部抽選として各ゲーム毎に予め決められた複数の当選役およびハズレ役のうち少なくとも１つを選び出す内部抽選手段と、
複数の前記可動表示体の回転を個々に停止させるべく前記可動表示体の各々について前記停止操作を受け付ける停止操作手段と、
前記停止操作手段による前記停止操作および前記内部抽選手段による前記内部抽選の結果に基づいて、前記可動表示体の停止を制御する可動表示体停止制御手段と、
前記図柄表示部にて視認可能とされた前記図柄を複数の前記可動表示体に跨って見た場合に、各々の前記可動表示体について少なくとも１つの図柄を選び出してできる組み合わせ態様のうち、前記当選役に対応する図柄の組み合わせ態様としての当選態様が有効となる表示位置を決定する有効表示位置決定手段と、
全ての前記可動表示体が停止したときに、前記有効表示位置決定手段により決定された前記有効表示位置に前記当選態様が表示されたか否かを判定する当選役図柄表示判定手段と、
前記当選態様としての所定の当選態様が表示されたと前記当選役図柄表示判定手段により判定されたときに、所定量の遊技媒体を付与する遊技媒体付与手段と、
前記内部抽選手段により前記当選役としての特別当選役を所定の確率で選び出す通常遊技を実行する通常遊技実行手段と、
前記通常遊技にて前記当選態様としての特別の当選態様が表示されたと前記当選役図柄表示判定手段により判定されたときに、当該通常遊技に代えて、前記特別当選役を少なくとも除外して前記内部抽選を行う特別遊技を実行する特別遊技実行手段と、
を備えており、
前記特別遊技実行手段は、
所定のゲーム期間にわたって前記有効表示位置に前記所定の当選態様がほぼ毎ゲーム表示されることによって、前記遊技媒体付与手段により所定量の遊技媒体が当該所定のゲーム期間中に集中して付与される遊技者に有利な有利遊技を実行する有利遊技実行手段と、
前記通常遊技にて前記当選態様としての特別の当選態様が表示されたと前記当選役図柄表示判定手段により判定されたにも拘らず、前記遊技媒体付与手段により所定量の遊技媒体が集中して付与されることなく遊技者に不利な不利遊技を実行すると共に、当該不利遊技を、前記所定のゲーム期間よりも長いゲーム期間にわたって実行することによって、前記内部抽選手段によって前記特別当選役を含む内部抽選が行われることを遅延させる不利遊技実行手段と、
を備えることを特徴とする遊技機。
【請求項２】
前記不利遊技実行手段は、前記当選役図柄表示判定手段にて前記特別の当選態様としての複数の異なる種類の図柄からなる所定の組み合わせ態様が表示されたと判定されたときに前記不利遊技を実行するものであると共に、
前記可動表示体停止制御手段は、前記内部抽選手段による抽選にて前記当選役としての前記不利遊技に対応する不利遊技当選役に当選したとき、前記停止操作のタイミングに拘らず、常に前記所定の組み合わせ態様が前記有効表示位置に表示されるように前記可動表示体の停止制御を行う
ことを特徴とする請求項１に記載の遊技機。
【請求項３】
前記不利遊技実行手段は、所定の条件が成立するまで前記不利遊技を実行する
ことを特徴とする請求項１または請求項２に記載の遊技機。
【手続補正２】
【補正対象書類名】明細書
【補正対象項目名】０００５
【補正方法】変更
【補正の内容】
【０００５】
前記課題を解決するための本発明に係る遊技機は、複数の図柄を施した図柄帯が付された可動表示体と、前記可動表示体を複数備えた図柄変動表示装置とを有し、遊技媒体の投入およびゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機であって、前記可動表示体が停止状態において前記図柄帯に施された前記複数の図柄のうちの一部を所定個数分の図柄群として視認可能とする図柄表示部と、前記内部抽選として各ゲーム毎に予め決められた複数の当選役およびハズレ役のうち少なくとも１つを選び出す内部抽選手段と、複数の前記可動表示体の回転を個々に停止させるべく前記可動表示体の各々について前記停止操作を受け付ける停止操作手段と、前記停止操作手段による前記停止操作および前記内部抽選手段による前記内部抽選の結果に基づいて、前記可動表示体の停止を制御する可動表示体停止制御手段と、前記図柄表示部にて視認可能とされた前記図柄を複数の前記可動表示体に跨って見た場合に、各々の前記可動表示体について少なくとも１つの図柄を選び出してできる組み合わせ態様のうち、前記当選役に対応する図柄の組み合わせ態様としての当選態様が有効となる表示位置を決定する有効表示位置決定手段と、全ての前記可動表示体が停止したときに、前記有効表示位置決定手段により決定された前記有効表示位置に前記当選態様が表示されたか否かを判定する当選役図柄表示判定手段と、前記当選態様としての所定の当選態様が表示されたと前記当選役図柄表示判定手段により判定されたときに、所定量の遊技媒体を付与する遊技媒体付与手段と、前記内部抽選手段により前記当選役としての特別当選役を所定の確率で選び出す通常遊技を実行する通常遊技実行手段と、前記通常遊技にて前記当選態様としての特別の当選態様が表示されたと前記当選役図柄表示判定手段により判定されたときに、当該通常遊技に代えて、前記特別当選役を少なくとも除外して前記内部抽選を行う特別遊技を実行する特別遊技実行手段と、を備えており、前記特別遊技実行手段は、所定のゲーム期間にわたって前記有効表示位置に前記所定の当選態様がほぼ毎ゲーム表示されることによって、前記遊技媒体付与手段により所定量の遊技媒体が当該所定のゲーム期間中に集中して付与される遊技者に有利な有利遊技を実行する有利遊技実行手段と、前記通常遊技にて前記当選態様としての特別の当選態様が表示されたと前記当選役図柄表示判定手段により判定されたにも拘らず、前記遊技媒体付与手段により所定量の遊技媒体が集中して付与されることなく遊技者に不利な不利遊技を実行すると共に、当該不利遊技を、前記所定のゲーム期間よりも長いゲーム期間にわたって実行することによって、前記内部抽選手段によって前記特別当選役を含む内部抽選が行われることを遅延させる不利遊技実行手段と、を備えることを特徴とする。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数の図柄を施した図柄帯が付された可動表示体と、前記可動表示体を複数備えた図柄変動表示装置とを有し、遊技媒体の投入に続くゲームの開始操作により複数の前記可動表示体の回転を開始させるとともに内部抽選を実行し、前記可動表示体の停止操作が受け付けられると、前記図柄変動表示装置に１回のゲームの結果を表示し、少なくとも遊技者に有利な特別遊技状態への内部抽選が行われる通常遊技状態を遊技状態として備えた遊技機において、
前記可動表示体の停止状態において前記図柄帯の図柄の一部を視認可能とする図柄表示部と、
前記内部抽選として、各ゲーム毎に予め決められた複数の当選役及びハズレ役のうち少なくとも１つを選び出す内部抽選手段と、
前記可動表示体の回転を個々に停止させるべく前記可動表示体の各々について前記停止操作を受け付ける停止操作手段と、
該停止操作手段による前記停止操作及び前記内部抽選手段による前記内部抽選の結果に基づいて、前記可動表示体の停止を制御する可動表示体停止制御手段と、
前記図柄表示部における前記可動表示体にまたがった前記当選役に対応する図柄の組み合わせ態様としての当選態様が有効となる表示位置を決定する有効表示位置決定手段と、
前記可動表示体が停止すると、前記有効表示位置決定手段により決定された前記表示位置に前記当選態様が表示されたか否かを判定する当選役図柄表示判定手段と、
前記当選役図柄表示判定手段にて前記当選役としての特別当選役に対応する特別当選態様が表示されたと判定されると、前記通常遊技状態と比べ頻繁に遊技媒体の付与が行われる前記特別遊技状態にてゲームの進行を制御する特別遊技状態制御手段と、
前記当選役図柄表示判定手段にて前記当選役としての特定当選役に対応する特定当選態様が表示されたと判定されると、前記特別遊技状態と比べ遊技媒体の付与頻度が小さく、前記通常遊技状態とは異なり少なくとも前記当選役に前記特別当選役を含まない特定遊技状態にてゲームの進行を制御する特定遊技状態制御手段と
を備えることを特徴とする遊技機。
【請求項２】
前記特定当選態様は、複数の異なる種類の図柄からなる組み合わせ態様である
ことを特徴とする請求項１に記載の遊技機。
【請求項３】
前記特定遊技状態制御手段は、所定の条件が成立するまで前記特定遊技状態にてゲームの進行を制御する
ことを特徴とする請求項１または請求項２に記載の遊技機。
【手続補正２】
【補正対象書類名】明細書
【補正対象項目名】０００５
【補正方法】変更
【補正の内容】
【０００５】
解決手段１は、複数の図柄を施した図柄帯が付された可動表示体と、前記可動表示体を複数備えた図柄変動表示装置とを有し、遊技媒体の投入に続くゲームの開始操作により複数の前記可動表示体の回転を開始させるとともに内部抽選を実行し、前記可動表示体の停止操作が受け付けられると、前記図柄変動表示装置に１回のゲームの結果を表示し、少なくとも遊技者に有利な特別遊技状態への内部抽選が行われる通常遊技状態を遊技状態として備えた遊技機において、前記可動表示体の停止状態において前記図柄帯の図柄の一部を視認可能とする図柄表示部と、前記内部抽選として、各ゲーム毎に予め決められた複数の当選役及びハズレ役のうち少なくとも１つを選び出す内部抽選手段と、前記可動表示体の回転を個々に停止させるべく前記可動表示体の各々について前記停止操作を受け付ける停止操作手段と、該停止操作手段による前記停止操作及び前記内部抽選手段による前記内部抽選の結果に基づいて、前記可動表示体の停止を制御する可動表示体停止制御手段と、前記図柄表示部における前記可動表示体にまたがった前記当選役に対応する図柄の組み合わせ態様としての当選態様が有効となる表示位置を決定する有効表示位置決定手段と、前記可動表示体が停止すると、前記有効表示位置決定手段により決定された前記表示位置に前記当選態様が表示されたか否かを判定する当選役図柄表示判定手段と、前記当選役図柄表示判定手段にて前記当選役としての特別当選役に対応する特別当選態様が表示されたと判定されると、前記通常遊技状態と比べ頻繁に遊技媒体の付与が行われる前記特別遊技状態にてゲームの進行を制御する特別遊技状態制御手段と、前記当選役図柄表示判定手段にて前記当選役としての特定当選役に対応する特定当選態様が表示されたと判定されると、前記特別遊技状態と比べ遊技媒体の付与頻度が小さく、前記通常遊技状態とは異なり少なくとも前記当選役に前記特別当選役を含まない特定遊技状態にてゲームの進行を制御する特定遊技状態制御手段とを備えることを特徴とする遊技機である。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数の図柄を施した図柄帯が付された可動表示体と、前記可動表示体を複数備えた図柄変動表示装置とを有し、遊技価値の投入とゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機において、
１回のゲームごとに予め決められた複数の当選役及びハズレ役の中からいずれかを選び出す抽選を行う内部抽選手段と、
複数の前記可動表示体の回転を個々に停止させるべく個々の前記可動表示体について前記停止操作を受け付ける停止操作手段と、
前記内部抽選手段による内部抽選の結果に基づいて複数の前記可動表示体の停止を制御する可動表示体停止制御手段と、
複数の前記可動表示体の回転が停止状態となると、前記可動表示体に付された図柄帯上の図柄を所定個数分の図柄群として前記図柄変動表示装置内の所定箇所に表示可能とする図柄表示部と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
前記内部抽選の対象となる前記複数の当選役及びハズレ役のうち、少なくとも１つについて前記内部抽選の対象から除外する抽選対象除外手段と、
前記内部抽選の結果として選び出される当選役のうち、前記抽選対象除外手段により少なくとも１つの当選役について前記内部抽選の対象から除外したうえで一般的な通常遊技状態とその遊技状態の類似した抽選対象除外遊技状態へ移行させる特定当選役に対応する図柄の組み合わせ態様が前記図柄表示部内に表示されたと前記当選役図柄表示判定手段により判定されると、前記抽選対象除外遊技状態にてゲームの進行を制御する抽選対象除外遊技状態制御手段と
を備えることを特徴とする遊技機。
【請求項２】
前記内部抽選の結果として選び出される当選役のうち、前記通常遊技状態と比べて遊技者にとって有利さの度合いの高い特別遊技状態へ移行させる特別当選役に対応する図柄の組み合わせが前記図柄表示部内に表示されたと前記当選役図柄表示判定手段により判定されると、前記特別遊技状態にてゲームの進行を制御する特別遊技状態制御手段と、
前記特別遊技状態制御手段により前記特別遊技状態にてゲームの進行が制御されると、前記通常遊技状態に比して遊技者に付与する遊技価値の付与機会を増加させる遊技価値付与機会増加手段と
をさらに備えることを特徴とする請求項１に記載の遊技機。
【請求項３】
前記抽選対象除外手段は、その対象として少なくとも前記特別当選役を含み、前記抽選対象除外遊技状態制御手段によりゲームの進行が前記抽選対象除外遊技状態に制御された場合、前記抽選対象除外遊技状態が継続するかぎりは前記特別当選役が前記内部抽選の抽選対象として除外され続ける
ことを特徴とする請求項１または請求項２に記載の遊技機。
【手続補正２】
【補正対象書類名】明細書
【補正対象項目名】０００８
【補正方法】変更
【補正の内容】
【０００８】
解決手段１は、複数の図柄を施した図柄帯が付された可動表示体と、前記可動表示体を複数備えた図柄変動表示装置とを有し、遊技価値の投入とゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機において、１回のゲームごとに予め決められた複数の当選役及びハズレ役の中からいずれかを選び出す抽選を行う内部抽選手段と、複数の前記可動表示体の回転を個々に停止させるべく個々の前記可動表示体について前記停止操作を受け付ける停止操作手段と、前記内部抽選手段による内部抽選の結果に基づいて複数の前記可動表示体の停止を制御する可動表示体停止制御手段と、複数の前記可動表示体の回転が停止状態となると、前記可動表示体に付された図柄帯上の図柄を所定個数分の図柄群として前記図柄変動表示装置内の所定箇所に表示可能とする図柄表示部と、前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、全ての前記可動表示体が停止した場合、前記有効表示位置決定手段により決定された前記有効表示位置に前記当選役に対応する図柄の組み合わせ態様が表示されたか否かを判定する当選役図柄表示判定手段と、前記内部抽選の対象となる前記複数の当選役及びハズレ役のうち、少なくとも１つについて前記内部抽選の対象から除外する抽選対象除外手段と、前記内部抽選の結果として選び出される当選役のうち、前記抽選対象除外手段により少なくとも１つの当選役について前記内部抽選の対象から除外したうえで一般的な通常遊技状態とその遊技状態の類似した抽選対象除外遊技状態へ移行させる特定当選役に対応する図柄の組み合わせ態様が前記図柄表示部内に表示されたと前記当選役図柄表示判定手段により判定されると、前記抽選対象除外遊技状態にてゲームの進行を制御する抽選対象除外遊技状態制御手段とを備えることを特徴とする遊技機である。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
プレイヤが操作手段を操作することにより動作するプレイヤキャラクタと、該プレイヤキャラクタの対戦相手となる敵キャラクタとが仮想空間内で移動して対戦する対戦ゲームの画像を生成して表示装置に表示させるゲーム装置において、
前記仮想空間には、前記プレイヤキャラクタが移動可能な領域であるプレイヤキャラクタ移動エリアと、前記プレイヤキャラクタ移動エリアに対して配置された複数の遮蔽物オブジェクトに対応したプレイヤキャラクタ停止位置設定領域と、が設定されており、
当該ゲーム装置は、
前記操作手段から前記プレイヤキャラクタを所定の移動方向へ移動させる入力がなされた時、前記プレイヤキャラクタの位置と前記操作手段から入力された移動方向とに基づいて、前記プレイヤキャラクタの移動方向の最寄りの前記遮蔽物オブジェクトを前記プレイヤキャラクタの移動目標となる遮蔽物オブジェクトとして特定し、該特定した遮蔽物オブジェクトに設定された前記プレイヤキャラクタ停止位置設定領域の情報と、前記移動操作が入力された時点での前記敵キャラクタの位置の座標情報とに基づいて、前記プレイヤキャラクタの移動目標地点を、前記プレイヤキャラクタ停止位置設定領域内であって前記敵キャラクタの位置に対して前記プレイヤキャラクタが前記特定した盾オブジェクトの陰になる位置に設定し、前記設定されたプレイヤキャラクタ停止位置に向けて前記プレイヤキャラクタを移動させ、前記プレイヤキャラクタ停止位置に前記プレイヤキャラクタが到達したとき、当該停止位置に前記プレイヤキャラクタの移動を停止させる制御を行うプレイヤキャラクタ移動制御手段
を備えることを特徴とする、ゲーム装置。
【請求項２】
移動指示を受けた一方のキャラクタの移動方向に最も近い前記盾オブジェクトを移動先盾オブジェクトとし、当該移動先盾オブジェクトの背後のいずれかの位置に移動先を設定する請求項１に記載のゲーム装置。
【請求項３】
一方のキャラクタが移動指示を受けた場合に、当該移動指示を受けた時点における他方のキャラクタの位置と前記移動先盾オブジェクトの基準点とを結んだ仮想直線上のいずれかの点に当該移動指示を受けたキャラクタの移動先を設定する請求項２に記載のゲーム装置。
【請求項４】
模擬銃を利用したガンシューティングゲームであり、前記入力装置として、模擬操作が可能な銃型コントローラと、前記プレイヤキャラクタを一方向および他方向へ移動させる操作が可能な移動指示手段としての左右独立のペダルスイッチと、を備えている請求項１から３のいずれか一項に記載のゲーム装置。
【請求項５】
前記銃型コントローラによる照準位置を検出する銃照準位置検出部を備えるとともに、当該銃照準の位置に応じて前記プレイヤキャラクタの移動速度を変化させる請求項４に記載のゲーム装置。
【請求項６】
前記プレイヤキャラクタの移動動作中に前記ペダルスイッチから移動方向の逆の移動指示を受けた場合に当該プレイヤキャラクタを反転させ反転方向に移動させるとともに、当該反転後の移動方向に新たな移動先を設定する請求項４に記載のゲーム装置。
【請求項７】
前記ペダルスイッチは、所定の条件下でプレイヤによる所定の操作が入力された場合にプレイヤキャラクタに移動動作以外の特殊な動作指示を行う特殊コマンド入力手段としても機能する請求項４から６のいずれか一項に記載のゲーム装置。
【請求項８】
仮想空間に設定された複数のオブジェクトとして、プレイヤの操作に応じて動作するプレイヤキャラクタと、該プレイヤキャラクタの対戦相手となる敵キャラクタと、前記プレイヤキャラクタおよび前記敵キャラクタのそれぞれの移動エリアに配置された複数の盾オブジェクトとがあり、プレイヤが操作する入力装置からの出力に応じて仮想視点から前記仮想空間内における前記オブジェクトを観た映像を画像処理装置により座標変換して表示装置に表示する際、前記オブジェクトのいずれかの移動動作を制御するためのゲーム用制御方法において、
前記プレイヤキャラクタおよび／または前記敵キャラクタに対する移動指示があった場合に、当該移動指示を受けた時点における当該移動指示を受けた一方のキャラクタの移動先を、他方のキャラクタおよび前記盾オブジェクトとの位置関係に基づいて自動設定する際、移動指示を受けた一方のキャラクタの移動先を、他方のキャラクタからの視点から観て当該一方のキャラクタの少なくとも一部が前記盾オブジェクトの背後に隠れる位置に設定するゲーム用制御方法。
【請求項９】
複数のオブジェクトとして、プレイヤの操作に応じて動作するプレイヤキャラクタと、該プレイヤキャラクタの対戦相手となる敵キャラクタと、前記プレイヤキャラクタおよび前記敵キャラクタのそれぞれの移動エリアに配置された複数の盾オブジェクトとを仮想空間に設定し、プレイヤが操作する入力装置からの出力に応じて仮想視点から前記仮想空間内における前記オブジェクトを観た映像を画像処理装置により座標変換して表示装置に表示するゲーム装置のコンピュータに、
前記プレイヤキャラクタおよび／または前記敵キャラクタに対する移動指示があった場合に、当該移動指示を受けた時点における当該移動指示を受けた一方のキャラクタの移動先を、他方のキャラクタおよび前記盾オブジェクトとの位置関係に基づいて自動設定する際、移動指示を受けた一方のキャラクタの移動先を、他方のキャラクタからの視点から観て当該一方のキャラクタの少なくとも一部が前記盾オブジェクトの背後に隠れる位置に設定する手順を実行させるためのゲームプログラム。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
複数の図柄列により図柄表示を行う図柄表示手段と、
前記図柄表示手段を駆動して前記図柄表示を変動させる図柄変動手段と、
前記図柄変動手段を制御する図柄変動制御手段と、
前記図柄表示の変動を開始させる入力を行う変動開始入力手段と、
前記変動開始入力手段による入力に応じて、ハズレ役及び少なくとも１種類の利益役の各々の当否を抽選により決定する抽選手段と、
前記抽選手段による抽選結果を参照して選択された参照演出の報知を制御する演出報知制御手段と、
前記参照演出を報知する演出報知手段と、
前記図柄表示の変動を変更させる入力を行う変動変更入力手段と、
を含む遊技機であって、
前記図柄変動制御手段が、前記変動開始入力手段による入力に応じて前記図柄変動手段の作動を開始させる変動開始制御手段と、前記図柄表示手段における前記複数の図柄列ごとの図柄表示状態を表す図柄表示情報を更新する図柄表示情報制御手段と、前記変動変更入力手段による入力に応じて前記図柄表示情報及び前記抽選手段による抽選結果を参照して前記図柄表示の変動を変更する変動変更制御手段と、前記図柄表示が変動している実質的な変動時間が規定変動時間以上となる場合に自動停止の許可判定を行う自動停止許可判定手段と、前記自動停止許可判定手段による前記許可判定に応じて、前記図柄表示情報を参照して前記少なくとも１種類の利益役の全てを新たに入賞させずに前記図柄表示の変動を停止させる変動停止手段とを含み、
前記演出報知制御手段が、前記ハズレ役及び前記少なくとも１種類の利益役の各々ごとに少なくとも１種類の演出を含む複数の演出に１つずつ対応する複数の演出報知情報を保持する演出報知情報保持手段と、前記抽選手段における前記抽選結果を参照して前記複数の演出から１つの演出を前記参照演出として選択する演出選択手段と、前記複数の演出報知情報のうち前記参照演出に対応する演出報知情報に基づいて前記演出報知手段の駆動を制御する駆動制御手段と、前記自動停止許可判定手段による前記許可判定に基づいて前記参照演出を所定の演出に変更する演出変更手段とを含むことを特徴とする遊技機。
【請求項２】
前記少なくとも１種類の利益役が、少なくとも１種類の取りこぼしのない役を含み、
前記演出変更手段は、前記抽選手段による前記抽選結果としての当選役が前記少なくとも１種類の取りこぼしのない役のいずれかである場合に前記参照演出を変更する請求項１に記載の遊技機。
【請求項３】
前記複数の演出が、前記少なくとも１種類の利益役のいずれかの当選を確定的に報知する少なくとも１つの利益役確定演出を含み、
前記演出変更手段は、前記演出選択手段によって選択された前記参照演出が前記利益役確定演出である場合に前記参照演出を変更する請求項１に記載の遊技機。
【請求項４】
前記少なくとも１種類の利益役が、少なくとも１種類の取りこぼしのない役を含み、
前記複数の演出が、前記少なくとも１種類のとりこぼしのない役のいずれかの当選を確定的に報知する少なくとも１つの入賞確定演出を含み、
前記演出変更手段は、前記演出選択手段によって選択された前記参照演出が前記入賞確定演出である場合に前記参照演出を変更する請求項１に記載の遊技機。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される始動操作手段と、
前記絵柄の循環表示を停止させるべく操作される停止操作手段と、
役毎に当選情報が定められた当選情報群を記憶する当選情報群記憶手段と、
前記始動操作手段の操作に基づき、前記当選情報群を用いて役の抽選を行う抽選手段と、
前記始動操作手段の操作に基づいて前記絵柄の循環表示を開始させると共に、前記停止操作手段の操作に基づいて前記絵柄の循環表示を停止させるよう前記循環表示手段を表示制御する表示制御手段と、
前記役の抽選結果が特別役当選であって、前記絵柄の循環表示が停止した際に特別絵柄が予め定めた有効位置に停止した場合、特別入賞成立として、通常遊技状態より遊技者に有利な特別遊技状態に移行させる特別遊技状態移行手段と、
前記役の抽選結果が前記特別役当選であって前記有効位置に前記特別絵柄が停止しなかった場合、前記特別役当選を留保記憶する留保記憶手段と
を備えた遊技機において、
前記役の抽選結果が所定役当選であって、前記絵柄の循環表示が停止した際に所定絵柄が前記有効位置に停止した場合、所定入賞成立として特典を付与する特典付与手段と、
所定条件が成立した場合、通常遊技状態より前記所定役に当選する確率が高くなる第２特別遊技状態に移行させる第２特別遊技状態移行手段と、
前記特別役と前記所定役に当選している場合、前記所定絵柄を前記有効位置に停止させることが可能であれば当該所定絵柄を前記有効位置に優先して停止させるように前記循環表示手段を表示制御する第１表示制御手段と
を備え、
前記所定役に関する所定役当選情報と、前記特別役に関する特別役当選情報との一部が重複するように前記各当選情報が定められた特定当選情報群を前記当選情報群記憶手段に記憶させ、
遊技状態が前記第２特別遊技状態である場合、前記所定役に当選する確率が高くなるように、且つ前記特定当選情報群における前記所定役当選情報と前記特別役当選情報の重複度合いが大きくなるように前記所定役当選情報を変更する当選情報変更手段を設けたことを特徴とする遊技機。
【請求項２】
複数種の絵柄を循環表示させる循環表示手段と、
前記絵柄の循環表示を開始させるべく操作される始動操作手段と、
前記絵柄の循環表示を停止させるべく操作される停止操作手段と、
役毎に当選情報が定められた当選情報群を記憶する当選情報群記憶手段と、
前記始動操作手段の操作に基づき、前記当選情報群を用いて役の抽選を行う抽選手段と、
前記始動操作手段の操作に基づいて前記絵柄の循環表示を開始させると共に、前記停止操作手段の操作に基づいて前記絵柄の循環表示を停止させるよう前記循環表示手段を表示制御する表示制御手段と、
前記役の抽選結果が特別役当選であって、前記絵柄の循環表示が停止した際に特別絵柄が予め定めた有効位置に停止した場合、特別入賞成立として、通常遊技状態より遊技者に有利な特別遊技状態に移行させる特別遊技状態移行手段と、
前記役の抽選結果が前記特別役当選であって前記有効位置に前記特別絵柄が停止しなかった場合、前記特別役当選を留保記憶する留保記憶手段と
を備えた遊技機において、
少なくとも前記役の抽選結果が所定役当選であって前記絵柄の循環表示が停止した際に所定絵柄が前記有効位置に停止した場合、所定入賞成立として所定特典を付与する特典付与手段と、
所定条件が成立した場合、前記通常遊技状態より前記所定特典の付与される確率が高くなる第２特別遊技状態に移行させる第２特別遊技状態移行手段と、
前記特別役と前記所定役に当選している場合、前記所定絵柄を前記有効位置に停止させることが可能であれば当該所定絵柄を前記有効位置に優先して停止させるように前記循環表示手段を表示制御する第１表示制御手段と
を備え、
前記所定役に関する所定役当選情報と、前記特別役に関する特別役当選情報とが重複しないように前記各当選情報が定められると共に、前記通常遊技状態下で前記役の抽選に用いられる特定当選情報群を前記当選情報群記憶手段に記憶させ、
遊技状態が前記第２特別遊技状態である場合、前記所定役当選情報と前記特別役当選情報の少なくとも一部が重複するように、前記所定役当選情報を変更する当選情報変更手段を設けたことを特徴とする遊技機。
【請求項３】
前記当選情報変更手段は、前記所定役当選情報のうち前記特別役当選情報と重複する重複情報のみを変更することを特徴とする請求項１又は２に記載の遊技機。
【請求項４】
第２所定役に関する第２所定役当選情報を前記特定当選情報群に定め、
前記役の抽選結果が前記第２所定役当選であって、前記絵柄の循環表示が停止した際に前記所定絵柄と異なる第２所定絵柄が前記有効位置に停止した場合、第２所定入賞成立として前記所定入賞が成立した場合と同じ特典を付与する第２特典付与手段を設けたことを特徴とする請求項１乃至３のいずれか１に記載の遊技機。
【請求項５】
遊技状態が前記第２特別遊技状態である場合、前記第２所定役に当選する確率が高くなるように前記第２所定役当選情報を変更する第２当選情報変更手段を設け、
前記特定当選情報群には、前記所定役に当選する確率の方が前記第２所定役に当選する確率より高くなるように前記所定役当選情報と前記第２所定役当選情報を定め、前記第２当選情報変更手段を、前記第２特別遊技状態下で前記所定役に当選する確率より前記第２特別遊技状態下で前記第２所定役に当選する確率の方が高くなるように前記第２所定役当選情報を変更する構成としたことを特徴とする請求項４に記載の遊技機。
【請求項６】
遊技状態が前記第２特別遊技状態である場合に、前記特別役当選情報を変更する特別役当選情報変更手段を非具備とすることを特徴とする請求項１乃至５のいずれか１に記載の遊技機。
【手続補正書】
【提出日】平成21年9月25日(2009.9.25)
【手続補正１】
【補正対象書類名】特許請求の範囲
【補正対象項目名】請求項２６
【補正方法】変更
【補正の内容】
【請求項２６】
二次元画像を取得することはＸ線透視画像を取得することを含むことを特徴とする請求項２０に記載のコンピュータ可読媒体。
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
撮像装置本体に沈胴する撮影レンズと、前記撮影レンズを保護するためのバリアとを有し、前記撮影レンズが沈胴位置から撮影領域まで移動する間に前記バリアが開き、前記撮影領域から前記沈胴位置まで移動する間に前記バリアが閉じるように構成されたレンズ鏡筒の位置制御を行う位置制御手段を備えた撮像装置であって、
前記位置制御手段は、
前記撮影レンズの基準位置を検出する検出手段を有し、
前記基準位置は、前記バリアが開閉駆動する区間の両方向であって、前記バリアが開閉駆動をしていない位置に設定されたことを特徴とする撮像装置。
【請求項２】
前記基準位置は、
前記バリアが開き終わったバリア開位置と前記撮影領域との間の第１の区間と、前記バリアが閉じ終わったバリア閉位置と前記沈胴位置との間の第２の区間に設定されたことを特徴とする請求項１に記載の撮像装置。
【請求項３】
前記撮影レンズは、パルスにより駆動制御される駆動手段を用いて移動可能に構成され、
前記バリアの閉駆動時には前記駆動手段のパルスレートを低下して前記駆動手段を減速制御し、前記バリアの開駆動時には前記駆動手段のパルスレートを上げて前記駆動手段を加速制御することを特徴とする請求項１または２記載の撮像装置。
【請求項４】
バッテリの電圧を検出する電圧検出手段を備え、前記駆動手段は、前記バッテリの電力により動作するように構成され、
前記電圧検出手段の検出結果に応じて、前記バリアの開駆動時における前記駆動手段のパルスレートを変更することを特徴とする請求項１乃至３のいずれかに記載の撮像装置。
【請求項５】
撮像装置本体に沈胴する撮影レンズと、前記撮影レンズを保護するためのバリアとを有し、前記撮影レンズが沈胴位置から撮影領域まで移動する間に前記バリアが開き、前記撮影領域から前記沈胴位置まで移動する間に前記バリアが閉じるように構成されたレンズ鏡筒の位置制御を行う撮像装置の制御方法であって、
前記撮影レンズの基準位置を検出する検出工程と、
前記バリアが開閉駆動する区間の両端側基準位置に基づいて、前記検出工程で検出された前記撮影レンズの位置を補正する補正工程とを
順次実行することを特徴とする撮像装置の制御方法。
【請求項６】
撮像装置本体に沈胴する撮影レンズと、前記撮影レンズを保護するためのバリアとを有し、前記撮影レンズが撮像装置本体に沈胴した沈胴位置から撮影可能な撮影領域まで移動可能に構成され、且つ前記撮影レンズが前記沈胴位置から前記撮影領域まで移動する間に前記バリアが開き、前記撮影領域から前記沈胴位置まで移動する間に前記バリアが閉じるように構成されたレンズ鏡筒の位置制御を行う撮像装置の制御方法を実行するための、コンピュータで読み取り可能な制御プログラムであって、
前記撮影レンズの基準位置を検出する検出ステップと、
前記バリアが開閉駆動する区間の両端側に設定された基準位置に基づいて、前記検出ステップで検出された前記撮影レンズの位置を補正する補正ステップとを
備えたことを特徴とする制御プログラム。
【請求項７】
撮像装置本体に沈胴する撮影レンズと、前記撮影レンズを保護するためのバリアとを有し、撮影レンズが沈胴位置から撮影領域まで移動する間に前記バリアが開き、前記撮影領域から前記沈胴位置まで移動する間に前記バリアが閉じるように構成されたレンズ鏡筒の位置制御を行う位置制御手段を備えた撮像装置であって、
前記位置制御手段は、
前記撮影レンズの基準位置を検出する検出手段を有し、
前記基準位置は、前記バリアが閉駆動を終了した位置に設定されていることを特徴とする撮像装置。
【手続補正２】
【補正対象書類名】明細書
【補正対象項目名】００１４
【補正方法】変更
【補正の内容】
【００１４】
上記目的を達成するために、本発明の撮像装置は、撮像装置本体に沈胴する撮影レンズと、前記撮影レンズを保護するためのバリアとを有し、前記撮影レンズが沈胴位置から撮影領域まで移動する間に前記バリアが開き、前記撮影領域から前記沈胴位置まで移動する間に前記バリアが閉じるように構成されたレンズ鏡筒の位置制御を行う位置制御手段を備えた撮像装置であって、前記位置制御手段は、前記撮影レンズの基準位置を検出する検出手段を有し、前記基準位置は、前記バリアが開閉駆動する区間の両方向であって、前記バリアが開閉駆動をしていない位置に設定されたことを特徴とする。
【手続補正３】
【補正対象書類名】明細書
【補正対象項目名】００１８
【補正方法】変更
【補正の内容】
【００１８】
本発明の撮像装置の制御方法は、撮像装置本体に沈胴する撮影レンズと、前記撮影レンズを保護するためのバリアとを有し、前記撮影レンズが沈胴位置から撮影領域まで移動する間に前記バリアが開き、前記撮影領域から前記沈胴位置まで移動する間に前記バリアが閉じるように構成されたレンズ鏡筒の位置制御を行う撮像装置の制御方法であって、前記撮影レンズの基準位置を検出する検出工程と、前記バリアが開閉駆動する区間の両端側基準位置に基づいて、前記検出工程で検出された前記撮影レンズの位置を補正する補正工程とを順次実行することを特徴とする。
【手続補正４】
【補正対象書類名】明細書
【補正対象項目名】００１９
【補正方法】変更
【補正の内容】
【００１９】
本発明の制御プログラムは、撮像装置本体に沈胴する撮影レンズと、前記撮影レンズを保護するためのバリアとを有し、前記撮影レンズが撮像装置本体に沈胴した沈胴位置から撮影可能な撮影領域まで移動可能に構成され、且つ前記撮影レンズが前記沈胴位置から前記撮影領域まで移動する間に前記バリアが開き、前記撮影領域から前記沈胴位置まで移動する間に前記バリアが閉じるように構成されたレンズ鏡筒の位置制御を行う撮像装置の制御方法を実行するための、コンピュータで読み取り可能な制御プログラムであって、前記撮影レンズの基準位置を検出する検出ステップと、前記バリアが開閉駆動する区間の両端側に設定された基準位置に基づいて、前記検出ステップで検出された前記撮影レンズの位置を補正する補正ステップとを備えたことを特徴とする。
本発明の撮像装置は、撮像装置本体に沈胴する撮影レンズと、前記撮影レンズを保護するためのバリアとを有し、撮影レンズが沈胴位置から撮影領域まで移動する間に前記バリアが開き、前記撮影領域から前記沈胴位置まで移動する間に前記バリアが閉じるように構成されたレンズ鏡筒の位置制御を行う位置制御手段を備えた撮像装置であって、前記位置制御手段は、前記撮影レンズの基準位置を検出する検出手段を有し、前記基準位置は、前記バリアが閉駆動を終了した位置に設定されていることを特徴とする。
【手続補正書】
【提出日】平成21年1月23日(2009.1.23)
【手続補正１】
【補正対象書類名】明細書
【補正対象項目名】０００２
【補正方法】変更
【補正の内容】
【０００２】
オレフィンまたはα，β−不飽和アルデヒドをパラジウム含有触媒と分子状酸素により液相酸化してα，β−不飽和カルボン酸を得る方法については、種々検討されている。特許文献１ではブチル化されたヒドロキシトルエン、２，２’−メチレンビス（４−メチル−６−ｔｅｒｔ−ブチルフェノール）等の遊離基禁止剤を反応系に存在させてα，β−不飽和カルボン酸を製造する方法が提案されている。特許文献２では、モリブデンの酸化物、ヘテロポリモリブデン酸及びヘテロポリモリブデン酸塩から選ばれるモリブデン化合物の存在下で反応を行なうことが提案されている。また、特許文献３では適度な量のハイドロキノンを反応系に加えることにより副生成物が低減化できることが提案されている。
【特許文献１】特開昭６０−１５５１４８号公報
【特許文献２】特開昭５６−５９７２２号公報
【特許文献３】米国特許第４４３５５９８号明細書
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
２θ°9.8、13.2、13.4、13.7、14.1、17.5、19.0、21.6、24.0および25.7＋／−0.2での主要ピークを含むＣｕＫα放射線を用いた照射により得られる粉末Ｘ線回析パターンを特徴とする本質的に純粋な結晶性のＮ−［（｛２−［４−（２−エチル−４,６−ジメチル−１Ｈ−イミダゾ［４,５−ｃ］ピリジン−１−イル）フェニル］エチル｝アミノ）カルボニル］−４−メチルベンゼンスルホンアミド多形形態Ａ。
【請求項２】
160℃で吸熱性事象を示す示差走査熱量測定（ＤＳＣ）をさらに特徴とする請求項１記載のＮ−［（｛２−［４−（２−エチル−４,６−ジメチル−１Ｈ−イミダゾ［４,５−ｃ］ピリジン−１−イル）フェニル］エチル｝アミノ）カルボニル］−４−メチルベンゼンスルホンアミド多形形態Ａ。
【請求項３】
請求項１または請求項２記載のＮ−［（｛２−［４−（２−エチル−４,６−ジメチル−１Ｈ−イミダゾ［４,５−ｃ］ピリジン−１−イル）フェニル］エチル｝アミノ）カルボニル］−４−メチルベンゼンスルホンアミド多形形態Ａを１つまたは複数の製薬上許容可能な賦形剤と一緒に含む製剤組成物。
【請求項４】
疼痛、炎症、変形性関節炎または慢性関節リウマチの治癒的、一時緩和的または予防的治療のための薬剤の調製における請求項１または請求項２記載のＮ−［（｛２−［４−（２−エチル−４,６−ジメチル−１Ｈ−イミダゾ［４,５−ｃ］ピリジン−１−イル）フェニル］エチル｝アミノ）カルボニル］−４−メチルベンゼンスルホンアミド多形形態Ａ、あるいは請求項３記載の製剤組成物の使用。
【請求項５】
２θ°6.3、11.3、12.8、13.0、13.5、14.5、15.6、20.5、23.0および25.8＋／−0.2での主要ピークを含むＣｕＫα放射線を用いた照射により得られる粉末Ｘ線回析パターンを特徴とする本質的に純粋な結晶性のＮ−［（｛２−［４−（２−エチル−４,６−ジメチル−１Ｈ−イミダゾ［４,５−ｃ］ピリジン−１−イル）フェニル］エチル｝アミノ）カルボニル］−４−メチルベンゼンスルホンアミド多形形態Ｂ。
【請求項６】
178℃で吸熱性事象を示す示差走査熱量測定（ＤＳＣ）をさらに特徴とする請求項８記載のＮ−［（｛２−［４−（２−エチル−４,６−ジメチル−１Ｈ−イミダゾ［４,５−ｃ
］ピリジン−１−イル）フェニル］エチル｝アミノ）カルボニル］−４−メチルベンゼンスルホンアミド多形形態Ｂ。
【請求項７】
請求項５または６記載のＮ−［（｛２−［４−（２−エチル−４,６−ジメチル−１Ｈ−イミダゾ［４,５−ｃ］ピリジン−１−イル）フェニル］エチル｝アミノ）カルボニル］−４−メチルベンゼンスルホンアミド多形形態Ｂを１つまたは複数の製薬上許容可能な賦形剤と一緒に含む製剤組成物。
【請求項８】
疼痛、炎症、変形性関節炎または慢性関節リウマチの治癒的、一時緩和的または予防的治療のための薬剤の調製における請求項５または６記載のＮ−［（｛２−［４−（２−エチル−４,６−ジメチル−１Ｈ−イミダゾ［４,５−ｃ］ピリジン−１−イル）フェニル］エチル｝アミノ）カルボニル］−４−メチルベンゼンスルホンアミド多形形態Ｂ、あるいは請求項７記載の製剤組成物の使用。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
連鎖移動剤の存在下、容積比(HFC-125又はFC-218)/HFC-227が90/10〜10/90のHFC-227(ヘプタフルオロプロパン)から形成される溶媒とHFC-125(ペンタフルオロエタン)及びFC-218(パーフルオロプロパン)から選択される溶媒との混合物の存在下で、−80℃〜−40℃の温度にて、UV光の存在下でのテトラフルオロエチレン(TFE)の光酸化により、1.2以下の過酸化物含量(PO)を有する式
A-CF2O(CF2CF2O)m(CF2O)n-(CF2CF2OO)m1(CF2OO)n1CF2-B    (Ｉ)
｛式中、
−  A、Bは、互いに同じか又は異なって、-Cl、-F、-F2CCl、-COF、-OCOF、-CF3からなる群より選択され、
−  m、m1、n、n1は、(m＋m1)/(n＋n1)比が0.6〜1.3［(n＋n1)は０でない］であり、m/n比が0.5〜1.2［nは０でない］であるような整数であり、
−  数平均分子量は35,000〜45,000の範囲であり、
ここで、
−  m/nが0.5〜0.8［nは０でない］であるとき、POは0.5〜1.0であり
−  m/nが0.8より高く1.2まで［nは０でない］であるとき、POは1.0より高く1.2までである｝の過酸化パーフルオロポリエーテルを製造する方法。
【請求項２】
TFE濃度が0.005〜0.06モル/反応混合物１リットルである請求項１に記載の方法。
【請求項３】
酸素がTFEに関してモル過剰であり、酸素分圧が0.1〜２気圧である請求項１又は２に記載の方法。
【請求項４】
容積比HFC-125/HFC-227が90/10〜40/60であるか、又は容積比FC-218/HFC-227が70/30〜30/70である請求項１〜３のいずれか１項に記載の方法。
【請求項５】
連鎖移動剤が不活性ガスで希釈したフッ素又はクロロトリフルオロエチレンから選択される請求項１〜３のいずれか１項に記載の方法。
【請求項６】
不活性ガスで希釈したフッ素又はクロロトリフルオロエチレンから選択され、連鎖移動剤/テトラフルオロエチレンのモル比が１×10-2〜１×10-3である量の連鎖移動剤(ここで連鎖移動剤がフッ素の場合、該連鎖移動剤は1/50〜1/1,000の容積比に不活性ガスで希釈される)の存在下、
−  温度が−55℃〜−50℃であり、
−  容積単位当たりのTFE供給流量が10〜30 kg/(h・m3)であり、
−  O2供給流量がモル比O2/TFEが1.1〜３であるような流量であり、
−  容積比HFC-125/HFC-227が85/15〜70/30であるか、又は容積比FC-218/HFC-227が70/30〜30/70である、0.5〜1.0のPO、35,000〜45,000の範囲の数平均分子量及び0.5〜0.8のm/n比を有する過酸化パーフルオロポリエーテル(Ｉ)を製造するための請求項１〜５のいずれか１項に記載の方法。
【請求項７】
不活性ガスで希釈したフッ素又はクロロトリフルオロエチレンから選択され、連鎖移動剤/テトラフルオロエチレンのモル比が１×10-2〜１×10-3である量の連鎖移動剤(ここで連鎖移動剤がフッ素の場合、該連鎖移動剤は1/50〜1/1,000の容積比に不活性ガスで希釈される)の存在下、
−  温度が−65℃〜−55℃であり、
−  容積単位当たりのTFE供給流量が10〜30 kg/(h・m3)であり、
−  O2供給流量がモル比O2/TFEが1.1〜３であるような流量であり、
−  容積比HFC-125/HFC-227が85/15〜70/30であるか、又は容積比FC-218/HFC-227が70/30〜30/70である、1.0より高く1.2までのPO、35,000〜45,000の範囲の数平均分子量及び0.8より高く1.2までのm/n比を有する過酸化パーフルオロポリエーテル(Ｉ)を製造するための請求項１〜５のいずれか１項に記載の方法。
【請求項８】
溶媒の混合物がHFC-125/HFC-227である請求項１〜７のいずれか１項に記載の方法。